(57)【要約】【構成】液体分配用集成体（２）は基部部材（８）、基部部材（８）上のキャップ（４）、および基部部材（８）内にあって、キャップ（４）によってカバーされる分配カプセル（６）を有する。この分配カプセル（６）は第１端部（１６）および第２端部（１８）を有するカプセル本体（７）、カプセル本体内にあって、カプセル本体の第１端部（１６）に第１開口を有する第１キャビティ（３８）を形成する少なくとも一つの壁部（２０）；およびカプセル本体内にあって、カプセル本体の第１端部（１６）に第２開口を有する第２キャビティ（４０）を形成する少なくとも一つの壁部（２２）を有する。第１開口および第２開口には、第１キャビティ（３８）および第２キャビティ（４０）をシールするシール部材（６４）を設ける。第１キャビティおよび第２キャビティの壁部は、カプセル本体の第２端部（１８）からこれらキャビティに圧力が加わると潰れる。【選択図】図６
2021509877.tif 000002
【特許請求の範囲】
【請求項１】
基部部材、
前記基部部材上のキャップ、および
前記基部部材中にあり、前記キャップによってカバーされた分配カプセルを有する液体分配用集成体であって、
前記分配カプセルが、
第１端部および第２端部を有するカプセル本体、
前記カプセル本体内にあって、このカプセル本体の前記第１端部に第１開口を有する第１キャビティを形成する少なくとも一つの壁部、および
前記カプセル本体内にあって、このカプセル本体の前記第１端部に第２開口を有する第２キャビティを形成する少なくとも一つの壁部を有し、
前記第１開口および前記第２開口に、前記第１キャビティおよび前記第２キャビティをシールするシール部材を設け、
前記カプセル本体の前記第２端部から前記キャビティに圧力が加わった場合に、前記第１キャビティおよび前記第２キャビティの前記壁部が潰れ、
前記キャップが、前記第１キャビティおよび前記第２キャビティの前記壁部に当たり、前記キャップが外力によって前記プランジャーが前記第１キャビティおよび前記第２キャビティに被さり、かつこれらキャビティがシールされた状態にある装着位置からこれらキャビティの前記壁部が十分に潰れ、前記第１開口および第２開口からシールを剥がす分配位置に強制的に移動させられた場合に、前記第１キャビティおよび前記第２キャビティの前記壁部を漸進的に潰すプランジャーを有し、
前記基部部材が、前記第１開口および前記第２開口からシールを剥がした場合に前記キャビティから液体を受け取るカップ部材を有し、
前記基部部材が、液体を前記カップ部材に出入りさせる少なくとも一つのドレイン開口を有し、
前記キャップおよび前記基部部材に締め付け部材を設けて、前記装着位置および前記基部部材への前記分配位置の少なくとも一つから外れることを防止するか、あるいは抑制することを特徴とする液体分配用集成体。
【請求項２】
前記締め付け手段が、前記基部部材上の前記装着位置から前記キャップが外れることを防止または抑制する第１の相互係合可能な締め付け部材を有する請求項１に記載の集成体。
【請求項３】
前記締め付け手段が、前記基部部材上の前記装着位置から前記キャップが外れることを防止または抑制する第２の相互係合可能な締め付け部材を有する請求項１に記載の集成体。
【請求項４】
前記締め付け手段が、前記基部部材上の前記装着位置から外れることを防止または抑制する第１の相互係合可能な締め付け部材、および前記基部部材上の前記装着位置から前記キャップが外れることを防止または抑制する第２の相互係合可能な締め付け部材を有する請求項１に記載の集成体。
【請求項５】
前記装着位置から前記キャップを前記分配位置まで移動させるために必要な力が、前記キャップを前記装着位置に移動させるために必要な力よりも大きい請求項４に記載の集成体。
【請求項６】
前記第１の相互係合可能な締め付け部材が、前記キャップおよび前記基部部材の一方の突出部、および前記キャップおよび前記基部部材の他方のリッジまたはくぼみを有する請求項２または４に記載の集成体。
【請求項７】
前記第１の相互係合可能な締め付け部材が、前記キャップ上のフックおよび前記基部部材上のリッジまたはくぼみを有する請求項６に記載の集成体。
【請求項８】
前記第２の相互係合可能な締め付け部材が、前記キャップ上のフックおよび前記基部部材の下面を有する請求項３または４に記載の集成体。
【請求項９】
前記基部部材がさらに、相補的なネジ山を有する容器の首部に前記集成体を固定するネジ山を有する請求項１〜８のいずれか１項に記載の集成体。
【請求項１０】
前記キャップが前記基部部材上を滑動できる請求項１〜９のいずれか１項に記載の集成体。
【請求項１１】
一次室、および請求項１〜１０のいずれか１項に記載の集成体を設ける首部を有する容器を有し、前記または各シール部材が前記一次室と流体連絡する液体混合装置。
【請求項１２】
さらに、前記容器に旋回自在に取り付けられたレバーを有し、このレバーは、当該レバーが前記キャップに当たらない第１位置と当該レバーが前記分配位置において前記キャップに当たる第２位置との間で旋回する請求項１１に記載の装置。
【請求項１３】
前記レバーが前記第２位置にある時に、このレバーが前記キャップを完全にカバーする請求項１２に記載の装置。
【請求項１４】
前記容器の前記首部および前記集成体の前記基部部材をネジ山によって固着する請求項１１〜１３のいずれか１項に記載の装置。
【発明の詳細な説明】
【背景技術】
【０００１】
ａ.発明の分野
本発明は、特に殺菌剤組成物などの液体分配用集成体（ａｓｓｅｍｂｌｙ）、およびこの集成体を有する装置に関する。
【０００２】
ｂ.従来技術
多くの液体製剤は、経時的に劣化し、製品の保存期限を制限する活性成分を有する。これは、特に、２つの試薬を混合することにより活性成分が必要な時点でその場で生成される、二酸化塩素などの殺菌剤や滅菌材の場合について言える。実例はＷＯ２００５／０１１７５６に開示がある。例えば、二酸化塩素の場合、亜塩素酸塩溶液および酸を混合することによって生成することができる。
【０００３】
容器の首部に分配カプセルを設けることは公知であり、このカプセルはそれぞれが試薬を含有する２つの内室を有する。内室の内容物を容器に排出すると、試薬が混合し、活性成分が発生する。このような分配カプセルの実例はＷＯ２０１７／０６０６７７に開示がある。分配カプセルは２つかそれ以上のシールされた分配室を有し、各分配室が一次室に分配される異なる物質を含有する。容器の首部にキャップをねじ込むと、分配室の壁部が徐々に潰れ、分配室間の内部シールが破壊され、分配室の内容物が予め混合されることになる。キャップがねじられている間に壁部がさらに潰れると、外部シールが破断し、混合物が一次室に排出されることになる。予め混合を行うと、活性成分の生成が加速するが、この生成をさらに加速し、一次室における活性剤の十分な濃度を作り出すために必要な時間を短縮することが望ましい。
【０００４】
予め混合された内容物の分配後、キャップを外してから、容器の首部から分配カプセルを取り出す必要がある。一般的に、カプセルはシール性を担保するために締り嵌めしているためこの取り出しは困難である。潰れた分配カプセルの場合、リサイクルを適正化する必要がある。ところが、潰れたカプセルを再使用するさいには、潰れた空隙壁を広げ、各空隙を再充填し、カプセルを再シールしてこれの再使用を試みている。この再使用は望ましくない。というのは、空隙壁の完全性が潰れによって犠牲になり、漏れが生じ、かつ早めの混合が生じるからである。また、例えばあまりにも早く破断や離層が発生するか、あるいは予め行う混合に十分な時間を割けないことによって新しいシールを規格内で実施できない可能性がある。このため、効率が悪くなり、表面の完全な消毒や殺菌を行うことができる可能性が低くなり、臨床環境では大きな問題になる。
【先行技術文献】
【特許文献】
【０００５】
【特許文献１】ＷＯ２００５／０１１７５６
【特許文献２】ＷＯ２０１７／０６０６７７
【特許文献３】ＷＯ２０１４／０６４４１４
【発明の概要】
【０００６】
本発明の態様は、独立請求項に特定する通りであり、また好適な特徴は従属請求項に特定する通りである。
【０００７】
本発明は、一次室に分配される前に濃厚化した試薬を共に反応させるために予め行う混合の時間をさらに提供する液体分配用集成体を提供するものである。
【０００８】
本発明の好適な実施態様は、人間工学的に動作することができ、また一回の引っ張り操作や一回のネジ抜き操作によって容器の首部から取り外し可能な、液体分配用集成体を提供するものである。この集成体は再使用できない構成で固着してもよい。
【図面の簡単な説明】
【０００９】
以下添付図面を参照して、例示のみを目的として、本発明をさらに説明することにする。
【図１−２】本発明の一実施態様に従って構成した液体分配用集成体を示す側面図および斜視図である。
【図３−４】集成体のそれぞれ図１および図２に対応する展開図である。
【図５】本発明の一実施態様に従って集成体を構成するさいに使用するカプセル本体を示す図である。
【図６】キャップを装着位置に設定した状態にある、図１の集成体を示す断面図である。
【図７】キャップを分配位置に設定した状態にある、図６に示す集成体の右手側に対応する断面図である。
【図８−９】本発明の一実施態様に従って構成した液体混合用装置を示す部分断面図である。
【図１０−１１】レバーを第１位置および第２位置に設定した状態における、本発明の別な実施態様に従って構成した液体混合用装置を示す斜視図である。
【図１２−１３】それぞれ図３の集成体における基部部材を示す側面図および上面図である。
【発明を実施するための形態】
【００１０】
図１〜図４に示す液体分配用集成体２は基部部材８、この基部部材８上を軸方向に滑動できるキャップ４、および基部部材８内にあり、かつキャップ４によってカバーされる分配カプセル６を有する。
【００１１】
分配カプセル６は、第１端部１６および第２端部１８を備えたカプセル本体７を有する。この実施態様では、カプセルは基部部材８内の環状シート２６に着座するカプセル本体の第２端部にフランジ２４を有する。この実施態様では、フランジ２４は充填操作時およびシール操作時にカプセルの位置を設定するために使用されるプロダクションキーディテイル（ｐｒｏｄｕｃｔｉｏｎ  ｋｅｙ  ｄｅｔａｉｌ）３６によって遮断する。
【００１２】
カプセル本体７は、第１キャビティ３８を形成する少なくとも一つの壁部２０および第２キャビティ４０を形成する少なくとも一つの壁部２２を有する（図５）。これらキャビティ３８、４０はそれぞれカプセルの第１（分配）端部１６に第１および第２の開口を有する。各キャビティは液体を収容し、各キャビティの内容物を他のキャビティからシールするシール部材６４によってカバーする。各キャビティ３８、４０には別なシール部材を設けてもよく、あるいは例えばＷＯ２０１７／０６０６７７に開示されているように、単一のシール部材６４で両キャビティをカバーしてもよく、これらキャビティの内容物を予め混合してから、シール部材６４とカプセル本体の基部３４周囲の周辺壁との間のシールを破ることができる。
【００１３】
第１キャビティ３８および第２キャビティ４０の壁部は、カプセル本体７の第２端部１８からキャビティの壁部に圧力が加わると潰れるコンサーチナ式（ｃｏｎｃｅｒｔｉｎａ−ｓｔｙｌｅ）壁部である。キャップ４はプランジャー５４を有し、本実施態様では、このプランジャー５４は、キャップ４の開口２８の底部に位置する。プランジャー５４は、キャップ４が分配位置まで外力によって強制的に滑動した場合に、第１キャビティおよび第２キャビティの壁部に当り、これら壁部を漸進的に潰すことになる。この分配位置では、キャビティ３８、４０の壁部２０、２２が十分に潰れるため、第１開口および第２開口のシールを引き剥がすことができる。図５に示す実施態様では、単一のシール部材（図示せず）によって実質的に底面３４の全体をカバーしてもよい。第１端部において２つの内側突出部３２の間に分割部材３０を設ける。くぼみ５６があるため、分割部材３０の一端にシール部材が接着することが少なくなる。キャビティ内で圧力が高くなる間に、臨界圧力、即ちシール部材と分割部材３０との間の接合が壊れ、シール部材がドーム形に変形し、キャビティの内容物が部分的に混合される一方で、シール部材と基部３４の周囲の周辺壁との間の接合はそのまま維持される圧力に達する。内容物は、例えば、混合されると殺菌剤組成物を生成する試薬であればよく、二酸化塩素や過酢酸を例示できる。好適な試薬は当業者には公知である。例えば、二酸化塩素を生成する試薬には亜塩素酸塩および酸；塩素酸塩、過酸化物および酸；そして亜塩素酸塩、次亜塩素酸塩および好適な緩衝液を例示することができる。試薬は濃厚形態のものも使用することができ、内室の内容物の混合時に活性剤を迅速に生成する。
【００１４】
本実施態様では、第１キャビティ３８および第２キャビティ４０はそれぞれバーストピン（ｂｕｒｓｔ  ｐｉｎ）４２、４４を有する。圧力が高くなると、キャビティ３８、４０の壁部２０、２２がさらに潰れ、バースピンの尖端がシール部材６４に接触し、バーストピンがシール部材に押し当り、外周における接合を押し破り、カプセル本体７の予め混合された内容物を制御された方法で分配する。あるいは、バーストピンがシールを引き裂くようにしてもよく、バーストピンを使用せずに、十分な圧力のみを印加し、シール部材の引き剥がしやシール部材の破裂を行い、キャビティの内容物を放出するようにしてもよい。
【００１５】
本実施態様における基部部材８は外壁４６、および開口を形成する内壁５０を有する。カプセル６は内壁５０が作る空間内に着座する。外壁４６の内向き面にネジ山４８を設け、集成体を容器の首部に固定する。
【００１６】
基部部材８には、カップ部材（図１２および図１３に明示する）１５を設け、シール６４が変位するか、破れた時にカプセル６から放出された液体をこれに受け取る。カプセルからの濃厚な試薬はカップ内に留まり、次に急速に反応し、殺菌剤になる。次に、使用者が一次室からの液体（水など）を使用して、カップ部材１５に隣接する一つかそれ以上の側壁のドレイン開口９を介してカップ部材１５を洗浄する。
【００１７】
キャップ４および基部部材８には、第１の相互係合可能な（ｉｎｔｅｒｅｎｇａｇｅａｂｌｅ）締め付け部材を設け、これによってキャップが装着位置にあり、プランジャー５４が第１キャビティ２０および第２キャビティ２２に被さり、これらキャビティがシールされた状態にある時にキャップ４が基部部材８から外れることを未然に防止するか、あるいは抑制する。この実施態様では、基部部材８の外側に３つの軸方向溝１０（２つの溝を図４に示す）を設け、各溝は突出リッジ１２を有する。溝１０毎に、キャップ４は対応する内向きに突出した留め具か戻り止め５２を有する。戻り止め５２はフック状で、面取りした内向きエッジ５３を有する。キャップ４を基部部材８に押し込むと、面取りエッジ５３がリッジ１２上を通過し、戻り止め５２が外向きに曲がる。戻り止め５２の後エッジがリッジ１２上を通過すると、これが図６に明示するように、リッジ１２の下にある溝１０内の位置１３にスナップ嵌めする。この装着位置では、集成体からキャップが外れることに抵抗するため、各戻り止め５２を外向きに同時に曲げる必要がある。キャビティは装着位置においてシールされた状態を維持する。
【００１８】
さらに十分な力がキャップ４に加わると、キャビティの壁部が十分に潰れて、第１開口および第２開口のシールが剥がれる分配位置までキャップが強制的に滑動している間、プランジャー５４が第１キャビティおよび第２キャビティの壁部に当たり、これら壁部が徐々に潰れる。キャップが装着された位置から分配位置まで移動すると、戻り止め５２がランプ部分１４を超えて移動し、外向きに曲がる。分配位置（図７）では、戻り止めが基部部材８の下面にスナップ嵌めによって嵌合する。ここで、戻り止め５２および下面１７は第２の相互係合可能な締め付け部材を有する。これら締め付け部材によってキャップが基部部材の分配位置から外れることを未然に防止できるか、またはこれを抑制できる。この実施態様では、キャップの内側肩部１９が、キャップが分配位置にある時にリッジ１２の上面に当たるため、キャップがこれ以上下降することはない。集成体は分配位置に固定される。
【００１９】
図８および図９を参照して説明を続けると、液体混合用装置は集成体２を設ける、一次室６２および首部６０を備えた容器５８を有する。シール部材６４は、カップ部材１５および一次室６２と流体連絡する。本実施例では、集成体２は基部部材８のネジ山４８および首部６０の相補的なネジ山によって首部６０に開放自在に固定する。図８において、キャップ４は装着位置にあり、シール６４はまだ破られていない。外圧をキャップ４に加えると、キャップを図９に示す分配位置まで押し出す。キャビティの壁部を潰すと、この実施例ではシール部材６４のバーストピン４２、４４の作用によってキャビティの開口の引き剥がしが行われる。キャビティからの液体６６はカップ部材１５に流入し、ここでこれら液体が反応し、殺菌剤を生成する。液体としては、例えば反応して二酸化塩素水溶液を生成する酸および亜塩素酸塩水溶液であればよい。カップ１５内で濃厚な試薬を予め混合しておくと、試薬を個別に、あるいは比較的短い時間予め混合を行った後に、一次室内の水に添加する場合よりも、カップ１５内における濃厚試薬を予め混合した方が、活性成分がより迅速に生成する。
【００２０】
カップ１５内において試薬を混合するために所定時間待った後に、使用者が容器５８をひっくり返すか、あるいは振ると、一次室６２の水がドレイン開口９に流れ込み、カップ１５の内容物と混合する。容器５８には、生成する溶液が目的の活性剤濃度となる好適な量で水などの液体を少なくとも部分的に満たしておき、それから首部に集成体を固定する。混合が生じると、生成溶液（本実施例では、二酸化塩素水溶液）を分配することができる。本実施例では、容器５８はビンであり、二酸化塩素水溶液は集成体２のねじを外し、これを容器首部から取り外し、溶液を首部から注ぎ込むことで分配される。あるいは、集成体の代わりにディップチューブ（ｄｉｐ  ｔｕｂｅ）を備えた噴霧器ヘッドを使用し、容器の内容物を噴霧分配することも可能である。
【００２１】
図１０および図１１に示す別な実施態様の装置の場合、容器５８は例えばＷＯ２０１４／０６４４１４に示されている型式のトリガー噴霧器である。キャップ４が装着位置にある状態で装置２を噴霧器ビンの首部に固着する。トリガー噴霧器にはレバー６８を設ける。このレバー６８は、レバー６８がキャップ４に当たらない第１位置（図１０）とレバーが分配位置にあるキャップに当たる第２位置（図１１）との間で旋回可能である。レバー６８が容器５８の表面７０に接触するまで、レバー６８はヒンジ７２を中心にして手で旋回させる。この実施態様では、レバーが第２位置にある時に、レバーはキャップを完全にカバーする。このクラス２レバー（Ｃｌａｓｓ  ２  ｌｅｖｅｒ）は機械的作用効果を有し、指で直接キャップに圧力を加える場合よりもレバーによってより大きな力を加えることができる。
【００２２】
好適な実施態様では、キャップを装着位置から分配位置まで移動させるために必要な力は、キャップを装着位置へ移動させるために必要な力よりも大きい。このように構成すると、キャップを手によって装着位置である基部部材まで押し出すことができるが、キャップの分配位置への偶発的な押し出しを防止または抑制することができる。
【００２３】
便宜上本発明をキャップに戻り止めを有し、そしてリッジまたは基部部材に一つかそれ以上のリッジまたはくぼみ（ｄｅｐｒｅｓｓｉｏｎ）を有する各組の締め付け部材をもつものとして説明してきたが、本発明はこの構成に限らない。例えば、基部部材に戻り止めを設けてもよく、またキャップに、キャップを基部部材に押し下げた時に戻り止めにスナップ嵌めする一つかそれ以上のくぼみを設けてもよい。別な実施態様では、第１（場合によって第２、第３）締め付け部材として、キャップを所定位置に保持するフープストレイン（ｈｏｏｐ−ｓｔｒａｉｎ）を利用する環状スナップ嵌め部材を使用することができる。フープストレインは、基部部材（より剛性のある部材）に押し付けられている間に、あるいは絡みついている間にキャップ（より弾性のある部材）の円周が膨張したものである。
【００２４】
以上、基部部材が軸方向溝を有するものとして説明してきたが、キャップを基部部材に押し付け可能である限り、溝は必ずしも直線状でなくてもよいことが理解されよう。例えば、溝は、キャップが基部部材に押し付けられている間、若干の回転運動を与える捩じれ部を有するものであってもよい。別な実施態様では、キャップに溝を設けてもよく、あるいは基部部材に溝に着座する突起を設けてもよく、あるいはキャップおよび基部部材が相補的なネジ山を有していてもよい。
【符号の説明】
【００２５】
２：液体分配用集成体
４：キャップ
６：分配カプセル
７：カプセル本体
８：基部部材
９：ドレイン開口
１０：軸方向溝
１２：突出リッジ
１３：位置
１４：ランプ部分
１５：カップ部材
１６：第１端部
１７：下面
１８：第２端部
１９：内側肩部
２０、３８：第１キャビティ
２２、４０：第２キャビティ
２４：フランジ
２６：環状シート
２８：開口
３０：分割部材
３２：内側突出部
３４：基部、底面
３６：プロダクションキーディテイル
４２、４４：バーストピン
４６：外壁
４８：ネジ山
５０：内壁
５２：戻り止め
５３：面取りエッジ
５４：プランジャー
５６：くぼみ
５８：容器
６０：首部
６２：一次室
６４：シール部材
６８：レバー
７０：表面
７２：ヒンジ
【図１】
2021509877.tif 000003
【図２】
2021509877.tif 000004
【図３】
2021509877.tif 000005
【図４】
2021509877.tif 000006
【図５】
2021509877.tif 000007
【図６】
2021509877.tif 000008
【図７】
2021509877.tif 000009
【図８】
2021509877.tif 000010
【図９】
2021509877.tif 000011
【図１０】
2021509877.tif 000012
【図１１】
2021509877.tif 000013
【図１２】
2021509877.tif 000014
【図１３】
2021509877.tif 000015
【国際調査報告】
2021509877.tif 000016
2021509877.tif 000017